(57)【要約】【課題】手元操作での掃除時に塵埃の視認性を向上させた電気掃除機を提供する。【解決手段】電動送風機を内蔵する掃除機本体と、一端が掃除機本体に接続されるホースと、ホースの他端に接続された吸込把持部４と、吸込把持部４に接続される延長管と、延長管に接続される床用吸込具と、吸込把持部４における延長管が接続される側に取り付けられ、被清掃面を清掃するブラシ７０を有するブラシアタッチメント６９とを備え、吸込把持部４は、延長管が接続される側の端部に、被清掃面を照らす照明部２５を有する。これにより、吸込把持部４から延長管と床用吸込具を取り外し、ブラシアタッチメント６９を用いて手元操作による掃除を行う際、搭載された照明部２５により被清掃面の塵埃の視認性を向上させることができる。【選択図】図２
2018068417.tif 000002
【特許請求の範囲】
【請求項１】
電動送風機を内蔵する掃除機本体と、
一端が前記掃除機本体に接続されるホースと、
前記ホースの他端に接続された吸込把持部と、
前記吸込把持部に接続される延長管と、
前記延長管に接続される床用吸込具と、
前記吸込把持部における前記延長管が接続される側に取り付けられ、被清掃面を清掃するブラシを有するブラシアタッチメントとを備え、
前記吸込把持部は、前記延長管が接続される側の端部に、前記被清掃面を照らす照明部を有する、電気掃除機。
【請求項２】
前記照明部は、
前記ブラシアタッチメントが、収納状態から使用状態に操作されることにより点灯し、前記ブラシアタッチメントが、使用状態から収納状態に操作されることにより消灯する、請求項１に記載の電気掃除機。
【請求項３】
前記ブラシアタッチメントは、収納状態または使用状態に切り替えるための回動機構を有する、請求項１又は２に記載の電気掃除機。
【請求項４】
前記ブラシアタッチメントは、磁石を有し、
前記吸込把持部は、前記磁石からの磁力に応じて、ＯＮまたはＯＦＦの状態に切り替わるスイッチを有し、
前記照明部は、前記スイッチのＯＮまたはＯＦＦの状態に応じて、点灯または消灯する、請求項１から３のいずれかに記載の電気掃除機。
【請求項５】
前記ブラシアタッチメントは、透光性樹脂により形成されている回動ブラシを有する、請求項１〜４のいずれかに記載の電気掃除機。
【請求項６】
前記ブラシは、透光性樹脂により形成されている、請求項１〜５のいずれかに記載の電気掃除機。
【発明の詳細な説明】
【技術分野】
【０００１】
本発明は、電気掃除機に関するものである。
【背景技術】
【０００２】
従来の一般的な電気掃除機では、電動送風機を内蔵する本体と、一端が本体に接続されたホースと、ホースの他端に接続された吸込把持部と、吸込把持部に接続された延長管と、延長管に接続された床用吸込具とから構成されている。しかしながら、このような一般的な電気掃除機では塵埃の視認が難しいという問題がった。
【０００３】
この問題を解決するために、延長管に照明灯を備え、塵埃の視認性を向上させた電気掃除機が提案されている（例えば、特許文献１参照）。
【先行技術文献】
【特許文献】
【０００４】
【特許文献１】実開平２−１０６６号公報
【発明の概要】
【発明が解決しようとする課題】
【０００５】
しかしながら、上述した特許文献１に記載された従来の電気掃除機の構成では、延長管に照明を備え付けることで床面の塵埃の視認性を向上させることができるが、吸込把持部から延長管および床用吸込具を取り外した際の手元操作による掃除での塵埃の視認性は向上されないという課題があった。
【０００６】
本発明は、このような従来の課題を解決するもので、手元操作による掃除における塵埃の視認性を向上させた電気掃除機を提供することを目的とする。
【課題を解決するための手段】
【０００７】
上記従来の課題を解決するために、本発明の電気掃除機は、電動送風機を内蔵する掃除機本体と、一端が掃除機本体に接続されるホースと、ホースの他端に接続された吸込把持部と、吸込把持部に接続される延長管と、延長管に接続される床用吸込具と、吸込把持部における延長管が接続される側に取り付けられ、被清掃面を清掃するブラシを有するブラシアタッチメントとを備え、吸込把持部は、延長管が接続される側の端部に、被清掃面を照らす照明部を有する。これにより、吸込把持部から延長管と床用吸込具を取り外し、ブラシアタッチメントを用いて手元操作による掃除を行う際、搭載された照明部により被清掃面の塵埃の視認性を向上させることができる。
【発明の効果】
【０００８】
本発明の電気掃除機は、手元操作による掃除の際に、塵埃の視認性を向上させることができ、掃除作業性を向上できる。
【図面の簡単な説明】
【０００９】
【図１】本発明の実施の形態１における電気掃除機の全体斜視図
【図２】同電気掃除機の吸込把持部の斜視図
【図３】同吸込把持部の分解斜視図
【図４】同吸込把持部のセンター断面図
【図５】同電気掃除機のブラシアタッチメントの展開斜視図
【図６】本発明の実施の形態２における電気掃除機の吸込把持部の斜視図
【図７】同吸込把持部の分解斜視図
【図８】同電気掃除機のブラシアタッチメントの展開斜視図
【発明を実施するための形態】
【００１０】
第１の発明は、電動送風機を内蔵する掃除機本体と、一端が掃除機本体に接続されるホースと、ホースの他端に接続された吸込把持部と、吸込把持部に接続される延長管と、延長管に接続される床用吸込具と、吸込把持部における延長管が接続される側に取り付けられ、被清掃面を清掃するブラシを有するブラシアタッチメントとを備え、吸込把持部は、延長管が接続される側の端部に、被清掃面を照らす照明部を有している。これにより、吸込把持部から延長管と床用吸込具を取り外し、ブラシアタッチメントを用いて手元操作による掃除、すなわち、家具などの立体物や床面などの被清掃面に近い位置で吸込把持部を操作する掃除を行う際、搭載された照明部により被清掃面の塵埃の視認性を向上させることができる。
【００１１】
第２の発明は、特に、第１の発明のブラシアタッチメントを収納状態から使用状態に操作することにより照明部を点灯させ、使用状態から収納状態にすることにより照明部を消灯させるようにしたもので、吸込把持部から延長管と床用吸込具を取り外し、ブラシアタッチメントを用いて掃除を行う際、搭載された照明部により被清掃面の塵埃の視認性を向上させることができ、ブラシアタッチメントを収納状態から使用状態への操作に連動して照明部が点灯し、使用状態から収納状態への操作に連動して照明部を消灯させることができる。
【００１２】
第３の発明は、特に、第１又は第２の発明のブラシアタッチメントを回動することにより収納状態から使用状態、使用状態から収納状態に変化するもので、ブラシアタッチメントを回動操作することにより、照明部を点灯、消灯し、簡単な操作で清掃手段と照明部を同時に準備できる。
【００１３】
第４の発明は、特に、第１〜３のいずれか一つの発明のブラシアタッチメントに磁石を配置し、吸込把持部に磁石の磁力によりＯＮまたはＯＦＦの状態に切り替わるスイッチ（例えば、リードスイッチ等）を配置して、スイッチで照明部を点灯、消灯させるようにしたものである。磁力によりＯＮまたはＯＦＦの状態に切り替わるスイッチを配置することにより、非接触で照明部を点灯または消灯でき、吸込把持部の上部や前端部が煩雑にならず、外観上も開口部が少なく、見栄えよくできる。
【００１４】
第５の発明は、特に、第１〜４のいずれか一つの発明のブラシアタッチメントは回動ブラシを有し、回動ブラシを透光性樹脂により形成したもので、吸込把持部に搭載された照明部の光の遮光量を減らし、吸口近傍を照らすことができる。
【００１５】
第６の発明は、特に、第１〜５のいずれか一つの発明のブラシを透光性樹脂により形成したもので、第５の発明にかかる電気掃除機よりも塵埃の視認範囲が拡大されより使い勝手が良くなる。
【００１６】
以下、本発明の実施の形態について、図面を参照しながら説明する。なお、この実施の形態によって本発明が限定されるものではない。
【００１７】
（実施の形態１）
図１は、本発明の実施の形態１における電気掃除機の全体斜視図、図２は、同電気掃除機の吸込把持部の斜視図、図３は、同吸込把持部の分解斜視図、図４は、同吸込把持部のセンター断面図、図５は、同電気掃除機のブラシアタッチメントの展開斜視図である。
【００１８】
図１において、本実施の形態における電気掃除機の掃除機本体１は、吸引力を発生させる電動送風機（図示せず）及び集塵部（図示せず）を備えている。ホース２は、一端がホース継手３を介して掃除機本体１に接続されており、集塵部と連通している。
【００１９】
吸込把持部４は、一端がホース２に接続されており、電動送風機の電源ＯＮ、ＯＦＦ等使用者が操作を行うための複数のスイッチ(図示せず)を備えている。一方、吸込把持部４の他端には、延長管５が接続されており、延長管５は伸縮自在な構成となっている。また、吸込把持部４の延長管５側にはブラシアタッチメント６９が取り付けられている。（図１では、ブラシアタッチメント６９は収納状態である）。
【００２０】
延長管５の先端には床用吸込具６が接続されている。使用者が吸込把持部４を用いて電源ＯＮ操作を行うと、掃除機本体１内部の電動送風機が駆動し、床用吸込具６の吸込口（図示せず）から吸引風が発生し、床面等に付いている塵埃を吸い取り、延長管５、吸込把持部４、ホース２を介して掃除機本体１内部の集塵部に集塵することが可能である。
【００２１】
尚、延長管５は、吸込把持部４に対して着脱自在であるため、延長管５を吸込把持部４から外して、吸込把持部４の開口部３０（図３参照）から塵埃を吸い込むことも可能であり、また延長管５から床用吸込具６を取り外し、延長管５の開口部分（図示せず）から塵埃を吸い込むことも可能である。
【００２２】
次に吸込把持部４の詳細について図２〜５を用いて説明する。図２〜５において、吸込把持部４は第１の管体３１を有し、この第１の管体３１は、図４に示すように、延長管５の中心軸線Ａ１と合致する中心軸線Ｂ１を持ち、延長管５の端部に嵌め合わせて接続されるようになっている。また、第１の管体３１は中心軸線Ｂ１と所定の角度をなす中心軸線Ｂ２を持つように屈曲形成された曲がりパイプとなっている。
【００２３】
本実施の形態では、中心軸線Ｂ１と中心軸線Ｂ２とのなす角度θ１を２５°としている。θ１の角度を２５°に設定することで、握り部４３を握った状態で、ブラシアタッチメント６９が床面の掃除がしやすい最適な角度で下向きになり、使い勝手を良くすることができる。
【００２４】
また、第１の管体３１と回転可能に連結される第２の管体３２は、図４に示すように、第１の管体３１の中心軸線Ｂ２と合致する中心軸線Ｃ１を持ち、他端にホース２が接続されるようになっている。
【００２５】
そして、第２の管体３２が第１の管体３１に相対回転可能であるように挿入されて、かつ、第１の管体３１と第２の管体３２が適宜手段によって外れぬように連結されて、これによって第２の管体３２が第１の管体３１の中心軸線Ｂ２を基準に回転できるように構成されている。
【００２６】
なお、第１の管体３１と第２の管体３２との抜け止め結合手段は任意によるものを採用可能であるが、本実施の形態では、図４に示すように、第２の管体３２に環状溝３６を設けて、第１の管体３１に第２の管体３２を挿入した後、第１の管体３１の開口３７から抜け止め片３８の一部を環状溝３６に挿入することによって、第１の管体３１と第２の管体３２とが外れぬように連結されている。第２の管体３２の他端にはホース２が接続されるようになっている。また、ホース２を第２の管体３２に取り付けた外周にはホースカバー３９を設けている。
【００２７】
把手部３３は、第１の管体３１の上部を覆い、第１の管体３１の屈曲部近傍からホース２側に延長管５の略延長方向に延設されたカバー体下４０と、カバー体下４０の上部を覆
うカバー体上４１で構成されている。本実施の形態では、カバー体上４１と延長管５の中心軸線Ａ１とのなす角θ２は３５°となるように設定されている。
【００２８】
カバー体下４０とカバー体上４１との間には、掃除機本体１の電動送風機の制御や、床用吸込具６の電動機の制御を行う制御部５０を収納しており、制御部５０を操作するための操作部５１が設けてある。
【００２９】
操作部５１は、複数のスイッチ(図示せず)から構成されており、スイッチの使用頻度の高い掃除機本体１の電動送風機を制御するスイッチより、使用頻度の低い床用吸込具６の電動機(図示せず)および後述する照明用光源２５をＯＮ−ＯＦＦ、すなわちＯＮまたはＯＦＦの状態に切り替えるスイッチを握り部４３から遠くに配置している。
【００３０】
第１の管体３１の延長管５側の上部とカバー体上４１との間には、延長管５の給電線(図示せず)に接続した端子(図示せず)を着脱自在に接続する端子（図示せず）と、制御部５０からリード線(図示せず)により給電され、抵抗器（図示せず)を搭載した光源制御部５３と、光源制御部５３からリード線により給電されると共に照明部である照明用光源２５とを備え、延長管５を第１の管体３１に連結するためのフック体６１をバネ５５により保持している。
【００３１】
照明用光源２５と光源制御部５３は第１の管体３１に備えられたリブ２６により保持され、カバー体上４１により挟み込むことで固定される。第１の管体３１の延長管５側先端上部には、照明用光源２５により発せられる光を前方に照射するための開口部２９を有している。また、第１の管体３１の屈曲部近傍とカバー体下４０との間には、ホース２の給電線から制御部５０へ給電するためのリード線を保持している。上記全てのリード線は、第１の管体３１に備えられたリブ２６により挟み込むことで保持される。照明用光源２５の点灯、消灯は、操作部５１に設けたＯＮ−ＯＦＦ用のスイッチで行われる。
【００３２】
本実施の形態では、照明用光源２５にＬＥＤ（発光ダイオード）を使用している。照明用光源２５および照明用光源２５をＯＮ−ＯＦＦさせるスイッチ２７は、第１の管体３１の上部に備えたフック体６１の設置箇所を中心に、左右のいずれか一方に設置されている。
【００３３】
照明用光源２５をＯＮ−ＯＦＦするスイッチ２７は、照明用光源２５と同様に第１の管体３１に備えられたリブ２６により保持され、カバー体上４１により挟み込むことで固定される。
【００３４】
第１の管体３１の延長管５側先端上部には、照明用光源２５をＯＮ−ＯＦＦさせるスイッチ２７を押えるための開口部２８を設けている。
【００３５】
照明用光源２５は、第１の管体３１の延長管５側である先端部に配置され、開口部２９から光を前方に照射するため、前方への光照射が良化する。また、照明用光源２５は、カバー体上４１の上部に露出しないので、意匠的にも良い。
【００３６】
また、開口部２９は、第１の管体３１の延長管５側である先端面に位置しているため、延長管５が吸込把持部４に接続されている状態では、開口部２９は外部に露出しない。これにより、照明用光源２５の保護を図ることができ、また、意匠的にも良い。
【００３７】
図５において、本実施の形態における電気掃除機のブラシアタッチメント６９は、パイプマキ６５、回動ブラシ７１、ブラシ７０より構成されている。第１の管体３１及びカバー体上４１の延長管５側外周にはパイプマキ６５が取り付けられており、パイプマキ６５
は、両側面に略円形状の第１の孔部１１を有している。
【００３８】
ブラシアタッチメント６９は、第１の孔部１１と第１の突部１２により、ブラシアタッチメント６９を収納状態または使用状態に切り替えるための、回動機構を構成している。すなわち、第１の孔部１１に、回動ブラシ７１の両側面にある略円形状の第１の突部１２が嵌合することで、回動ブラシ７１は第１の孔部１１と第１の突部１２を軸にして回動する。また、回動ブラシ７１の両側面には略円形状の第２の突部１３を有しており、パイプマキ６５の両側面には略円形状の第２の孔部１４及び凹部１５を有する。
【００３９】
第２の突部１３が第２の孔部１４または凹部１５に嵌ることで、回動ブラシ７１の回動を規制することができる。回動ブラシ７１の前方に設けたＵ字枠体７２の一方のＵ字面にブラシ７０が植毛されており、回動ブラシ７１の第２の突部１３がパイプマキ６５の凹部１５に嵌ることで、ブラシアタッチメント６９が使用状態となり、ブラシ７０を使用して掃除が可能となる。また、回動ブラシ７１の第２の突部１３がパイプマキ６５の第２の孔部１４に嵌ることで、ブラシアタッチメント６９が収納状態となり、吸込把持部４の開口部３０に延長管５を嵌めることができる。
【００４０】
さらに、本実施の形態では、回動ブラシ７１に略円形状の第３の突部７３を設けており、前述の回動ブラシ７１の第２の突部１３がパイプマキ６５の凹部１５に嵌り、ブラシアタッチメント６９が使用状態となったとき、第３の突部７３が前述の照明用光源２５をＯＮ−ＯＦＦするスイッチ２７を押えるための開口部２８を通して、その奥に配置されているスイッチ２７を押さえ、照明用光源２５をＯＮさせる。このとき、前述の床用吸込具６の電動機をＯＮ−ＯＦＦするスイッチを押すことにより、照明用光源をＯＦＦ−ＯＮすることもできる。
【００４１】
このように、回動ブラシ７１を回動させることにより、照明用光源２５をＯＮ−ＯＦＦさせることで、照明用光源２５を別のスイッチでＯＮ−ＯＦＦさせる手間を省き、吸込把持部４の先端にブラシアタッチメント６９を取付けて掃除する際、第１の管体３１先端の開口部３０近傍の塵埃も視認を可能とし、被清掃面の塵埃視認性を更に向上させることができる。
【００４２】
また、前述の回動ブラシ７１の第２の突部１３がパイプマキ６５の第２の孔部１４に嵌ることで、ブラシアタッチメント６９が収納状態となり、第３の突部７３が照明用光源２５をＯＮ−ＯＦＦするスイッチ２７を押さえていないため、照明用光源２５はＯＦＦしている。
【００４３】
また、回動ブラシ７１を透光性樹脂により形成することで、照明用光源２５より発せられた光が、回動ブラシ７１より遮光されることなく透過することで、手元操作による掃除時、第１の管体３１先端の開口部３０近傍の塵埃も視認が可能となり、被清掃面の塵埃視認性を更に向上させることができる。
【００４４】
さらに、回動ブラシ７１に植毛されたブラシ７０を透光性樹脂により形成することで、ブラシ７０により遮光されることなく透過し、被清掃面の塵埃の視認性を更に向上させることができる。
【００４５】
以上のように、本実施の形態における電気掃除機では、吸込把持部４の開口部３０上方に照明用光源２５を備えることで、ブラシアタッチメント６９を用いた手元操作による掃除における塵埃の視認性を向上させることが可能である。
【００４６】
（実施の形態２）
図６は、本発明の実施の形態２における電気掃除機の吸込把持部の斜視図、図７は、同吸込把持部の分解斜視図、図８は、同電気掃除機のブラシアタッチメントの展開斜視図である。なお上記実施の形態１における電気掃除機と同一部分には同一符号を付与しその説明を省略する。
【００４７】
実施の形態１では、照明用光源２５は、フック体６１の設置個所を中心に左右のいずれか一方に設定されていたが、本実施の形態では、図６、７に示すように、２個の照明用光源２５を、第１の管体３１の上部に備えたフック体６１の設置箇所を中心に、左右対称に設置している。
【００４８】
実施の形態１では、第３の突部７３が照明用光源２５をＯＮ−ＯＦＦさせるスイッチ２７を押すことにより、照明用光源２５をＯＮ−ＯＦＦさせたが、本実施の形態では、第３の突部の代わりに磁石７５を回動ブラシ７１に埋め込み、第１の管体３１の延長管５側先端上部に、磁石７５の磁力によりＯＮ−ＯＦＦできる非接触型のスイッチ７４（例えば、リードスイッチ等）を用いている。このときは、実施の形態１における第１の管体３１の先端の開口部２８は開口してなくても良い。なお、磁石７５は、永久磁石により構成しても良いし、電磁石により構成しても良い。
【００４９】
このように、磁力によりＯＮ−ＯＦＦするスイッチ７４を配置することにより、非接触で照明部を点灯、消灯でき、吸込把持部の上部や前端部が煩雑にならず、外観上も開口部が少なく、見栄えよくできる。
【００５０】
また、非接触のスイッチ７４では、機械的な接触のための開口部が不要となるため、端部に空間を確保できる。これにより、例えば、新たな照明用光源２５を追加できるため、さらに前方を明るく照射できる。
【００５１】
以上のように、本実施の形態における電気掃除機は、吸込把持部４の開口部３０の上方に照明用光源２５を備え、回動ブラシ７１を回動させることで、照明用光源２５を点灯、消灯でき、かつ、簡単にブラシアタッチメント６９を用いた掃除における塵埃の視認性を向上させることが可能になるものである。
【産業上の利用可能性】
【００５２】
以上のように、本発明に係る電気掃除機は、ブラシアタッチメントを用いて掃除をする際に塵埃の視認性が大幅に向上するもので、家庭用あるいは業務用の電気掃除機に広く適用可能である。
【符号の説明】
【００５３】
１  掃除機本体
２  ホース
３  ホース継手
４  吸込把持部
５  延長管
６  床用吸込具
１１  第１の孔部（回動機構）
１２  第１の突部（回動機構）
１３  第２の突部
１４  第２の孔部
１５  凹部
２５  照明用光源（照明部）
２６  リブ
２７  スイッチ
２８、２９、３０  開口部
３１  第１の管体
３２  第２の管体
３３  把手部
３６  環状溝
３７  開口
３８  抜け止め片
３９  ホースカバー
４０  カバー体下
４１  カバー体上
４３  握り部
５０  制御部
５１  操作部
５３  光源制御部
５５  バネ
６１  フック体
６５  パイプマキ
６９  ブラシアタッチメント
７０  ブラシ
７１  回動ブラシ
７２  Ｕ字枠体
７３  第３の突部
７４  スイッチ
７５  磁石
【図１】
2018068417.tif 000003
【図２】
2018068417.tif 000004
【図３】
2018068417.tif 000005
【図４】
2018068417.tif 000006
【図５】
2018068417.tif 000007
【図６】
2018068417.tif 000008
【図７】
2018068417.tif 000009
【図８】
2018068417.tif 000010